(57)【要約】【課題】実際に信号処理装置への接続状況に応じて、使用できる処理機能を制限することにより、操作性を向上できる電子内視鏡装置を提供する。【解決手段】ビデオプロセッサ４のＣＰＵ４４は、ビデオプロセッサ４に実際に接続される電子内視鏡２毎に、内蔵されたスコープＩＤ回路４６からの識別情報により、電子内視鏡２に内蔵されたＣＣＤ２７の種類を検知し、またオプション基板７が接続された場合にはオプション基板検知回路４７によりオプション基板の拡張処理機能を検知し、例えば画素数が少ないＣＣＤ２７の場合には拡大縮小回路（１）５５ａによる電子ズームによる拡大処理を行わないように制限すると共にその機能が有効でない表示状態にすることにより、ユーザが不必要となる操作を行わないようにして操作性を向上した。【選択図】　図１
2004000335.tif 000002
【特許請求の範囲】
【請求項１】
固体撮像素子を備えた電子内視鏡と、前記固体撮像素子から読み出した信号を所定の映像信号に変換する信号処理装置とを有する電子内視鏡装置において、
前記信号処理装置への接続状況を検知する検知手段を備え、前記検知手段の検知結果から信号処理装置の処理を制限する制限手段を設けたことを特徴とする電子内視鏡装置。
【発明の詳細な説明】
【０００１】
【発明の属する技術分野】
本発明は固体撮像素子を用いた撮像手段により撮像した内視鏡画像を表示手段に表示する電子内視鏡装置に関する。
【０００２】
【従来の技術】
近年、固体撮像素子を用いた撮像手段により撮像した内視鏡画像を表示手段に表示することにより、内視鏡検査や内視鏡診断を行う電子内視鏡装置が広く普及している。
また、電子内視鏡装置としては、固体撮像素子の画素数の異なる電子内視鏡等にも対応できるようにしたものがあるし、例えば特開２０００−３５４２４０号公報のように拡張処理する拡張処理基板を接続して使用できる信号処理装置を備えたものがある。
この公報では、拡張処理基板が接続された場合にはその拡張処理基板の出力端子から拡張処理された信号が出力される。
【０００３】
【発明が解決しようとする課題】
しかしながら、上記公報の従来例の場合には、拡張処理基板が接続された場合にはその拡張処理基板の出力端子の有無により拡張処理された信号が出力されるか否かが分かるが、拡張処理基板の接続、未接続に関係なく、同じ接続状態で機能が拡張されるような場合がある。
【０００４】
また、固体撮像素子の画素数など種類が異なり、例えばその画素数が少ないような場合には、かえって機能を制限した方が望ましいような場合もある。
例えば、画素数が少ないのに、電子ズームによって拡大処理をすると、粗い画像となって拡大処理しない方が望ましいような場合がある。
【０００５】
（発明の目的）
本発明は、上述した点に鑑みてなされたもので、実際に信号処理装置への接続状況に応じて、使用できる処理機能を制限することにより、操作性を向上できる電子内視鏡装置を提供することを目的とする。
【０００６】
【課題を解決するための手段】
固体撮像素子を備えた電子内視鏡と、前記固体撮像素子から読み出した信号を所定の映像信号に変換する信号処理装置とを有する電子内視鏡装置において、
前記信号処理装置への接続状況を検知する検知手段を備え、前記検知手段の検知結果から信号処理装置の処理を制限する制限手段を設けたことにより、例えば接続された電子内視鏡における固体撮像素子の種類を検知することにより、検知した固体撮像素子に応じて不必要な処理を行わないように処理を制限したり、その場合には処理機能が有効で無いことが分かり易いように処理機能の表示の制限をしたり、また拡張処理基板の有無に応じて拡張処理基板に対応する機能の表示を制限する等して使い易くしている。
【０００７】
【発明の実施の形態】
以下、図面を参照して本発明の実施の形態を説明する。
（第１の実施の形態）
図１ないし図１３は本発明の第１の実施の形態に係り、図１は第１の実施の形態の電子内視鏡装置の全体構成を示し、図２は拡大縮小回路の構成を示し、図３はルックアップテーブルに格納されているアドレスデータの具体例を示し、図４は内視鏡画像を表示するマスクサイズ（画面サイズ）の具体例を示し、図５はマスクサイズと連動しない状態で拡大指示した場合におけるセミフルのマスクサイズでの内視鏡画像の表示例を示し、図６は各種の設定を行うメニュー画面の表示例を示し、図７はフロントパネルの構成例を示し、図８はマスクサイズと連動させた状態で拡大指示した場合における内視鏡画像の表示例を示し、図９は電子ズームを行わないＣＣＤの場合におけるモニタ画面の表示例を示し、図１０は構造強調回路の構成を示し、図１１は内視鏡画像と共に、内視鏡形状検出装置の画像とを重畳して表示する表示例を示し、図１２は初期設定の処理動作を示し、図１３はマスクサイズの変更指示や拡大指示等がされた場合における本実施の形態の主要な処理動作を示す。
【０００８】
図１に示すように本発明の第１の実施の形態の電子内視鏡装置１は、内視鏡検査を行う電子内視鏡２と、この電子内視鏡（以下、スコープと略記）２に照明光を供給する光源装置３と、スコープ２に内蔵された撮像手段に対する信号処理を行う信号処理装置としてのビデオプロセッサ４と、このビデオプロセッサ４に接続され、スタンダード（標準）の映像信号で作用する（図１ではＳＤＴＶと略記）モニタ（１）５Ａ、プリンタ（１）５Ｂ、ＶＴＲ（１）５Ｃ、写真撮影装置５Ｄ、ファイリング装置５Ｅ、と、内視鏡形状を検出して内視鏡形状に対応した映像信号を出力する内視鏡形状検出装置６と、ビデオプロセッサ４における基本の信号処理を行うメイン基板に対して拡張処理しようとする場合にオプションで装着される拡張処理基板としてのオプション基板７と、このオプション基板７が装着されたビデオプロセッサ４に接続され、ハイビジョンの映像信号で作用する（図１ではＨＤＴＶと略記）モニタ（２）８Ａ、プリンタ（２）８Ｂ、ＶＴＲ（２）８Ｃと、ビデオプロセッサ４と接続され、データ入力や指示入力を行うキーボード９とから構成される。
【０００９】
スコープ２は、体腔内等に挿入される細長の挿入部１１を有し、その後端には術者が把持して挿入の操作等を行う操作部１２が設けてある。このスコープ２には、その挿入部１１内部等に照明光を伝送するライトガイド１３が挿通され、操作部１２から外部に延出されたライトガイド１３の後端のライトガイドコネクタ１４は光源装置３に着脱自在で接続される。
【００１０】
光源装置３には、白色光を発生するランプ１５が内蔵され、このランプ１５の照明光は、モータ１６により回転される回転フィルタ１７の周方向に取り付けられた赤（Ｒ）、緑（Ｇ）、青（Ｂ）の各波長帯の光をそれぞれ透過する特性を持つＲ、Ｇ、Ｂフィルタを経て面順次の照明光にされた後、さらに絞り制御回路１８により開閉量が制御される絞り１９で光量が調整され、集光レンズ２１で集光されてライトガイド１３の後端面に入射される。
【００１１】
なお、モータ１６はモータ制御回路２２により、所定の回転速度で回転するように制御される。また、絞り制御回路１８はＤ／Ａ変換回路２３を介してビデオプロセッサ４と接続されるコネクタ２４に接続され、絞り制御回路１８は後述する調光回路から調光信号が入力される。
【００１２】
光源装置３からライトガイド１３の後端面に入射された照明光はこのライトガイド１３により伝送され、挿入部１１の先端部２５に設けた照明窓に固定された先端面から前方に拡開して出射され、体腔内の患部等の被写体側を照明する。
【００１３】
先端部２５には、照明窓に隣接して設けた観察窓に取り付けた対物レンズ２６により、照明された被写体の光学像が結像され、その結像位置には固体撮像素子、具体的には電荷結合素子（ＣＣＤと略記）２７が配置されており、結像された光学像を光電変換する。
【００１４】
このＣＣＤ２７に接続された信号線は、信号コネクタ２８を介してビデオプロセッサ４と着脱自在に接続される。
【００１５】
そして、ビデオプロセッサ４における２次回路部３７から絶縁されたフローティング回路部３１の内部に設けられた駆動回路３２からの駆動信号によりＣＣＤ２７により光電変換された撮像信号が読み出され、この撮像信号はコネクタ２８を経由して、ビデオプロセッサ４内部のプリアンプ回路３３に入力される。
【００１６】
プリアンプ３３で増幅された信号はＣＤＳ回路３４でＣＤＳ処理されて信号成分が抽出されたベースバンドの映像信号に変換された後、Ａ／Ｄ変換回路３５に入力されてデジタル信号に変換される。
【００１７】
このデジタル信号は、フォトカプラなどで形成した絶縁回路３６を介して２次回路部３７側のＯＢクランプ回路３８に入力されると共に、調光を行う調光信号を生成する調光回路３９にも入力される。
【００１８】
調光回路３９から出力される調光信号は絶縁回路３６を経て光源装置３のＤ／Ａ変換回路２３によりアナログの調光信号に変換され、絞り制御回路１８を介して絞り１９の開口量を調整し、適正な明るさのレベルの映像信号となるように照明光量を自動調光する。
【００１９】
また、ＯＢクランプ回路３８では、ＣＣＤ２７のオプティカルブラック部分から読み出した信号レベルをクランプして、黒レベルを確定する処理を行う。このＯＢクランプ回路３８によりＯＢクランプ処理されたデジタルの映像信号は、ホワイトバランス（図１ではＷ／Ｂと略記）補正回路４０に入力され、ホワイトバランス処理される。
【００２０】
ホワイトバランス処理された信号は、さらにＡＧＣ回路４１でＡＧＣ処理後、フリーズさせるフリーズメモリ４２に入力される。このフリーズメモリ４２はフリーズ制御回路４３により制御される。また、このフリーズ制御回路４３はビデオプロセッサ４の各部の動作を制御すると共に、ビデオプロセッサ４に接続される接続状況を検知する検知手段による検知結果に対応した制御を行うＣＰＵ４４により、その動作が制御される。
【００２１】
また、スコープ２の操作部１２にはフリーズスイッチ等のスコープスイッチ４５が設けてあり、フリーズスイッチを操作することにより、絶縁回路３６を介してその指示信号がＣＰＵ４４に入力され、ＣＰＵ４４はその指示信号に応じてフリーズ制御回路４３を介してフリーズメモリ４２の画像データをフリーズ状態にする。
【００２２】
つまり、通常はフリーズメモリ４２に入力される信号（画像データ）は時系列的に更新されているが、フリーズスイッチが操作されると、ＣＰＵ４４はフリーズ制御回路４３を介してフリーズメモリ４２に入力される画像データの書き込みを禁止する。従って、フリーズメモリ４２から読み出される画像データは同じものとなり、フリーズされた画像データが表示されるようになる。
【００２３】
なお、フリーズ指示はスコープ２に設けたスコープスイッチ４５から行える他に、キーボード９上のスイッチ、または図示しないフットスイッチに割り当てられているフリーズスイッチを入力時にも、ＣＰＵ４４を経由してフリーズ制御をする。
また、フリーズスイッチでフリーズした後に、再びフリーズスイッチを押すとＣＰＵ４４はフリーズ解除の制御動作を行う。
【００２４】
なお、スコープ２は、このスコープ２に内蔵したＣＣＤ２７等の種類を含むスコープ識別情報を発生するスコープＩＤ回路４６を有し、このスコープ識別情報は信号コネクタ２８、絶縁回路３６を介してＣＰＵ４４に読みとられ、ＣＰＵ４４はビデオプロセッサ４に接続されたスコープ２に内蔵されたＣＣＤ２７のｔｙｐｅに対応した信号処理を行うように制御するようにしている。
【００２５】
後述するように、例えば画素数が少ないＣＣＤの場合には電子ズームによる拡大処理を制限し、画質が劣化することが目立つような処理を行うことを制限する。つまり、不必要となるような操作を行えないように制限する。
【００２６】
また、オプション基板７には、オプション基板７の識別情報等の検知によりその機能を検知できるようにするオプション基板検知回路４７が設けてあり、ＣＰＵ４４はオプション基板検知回路４７からの検知情報により装着されたオプション基板７の機能を識別して、対応する制御動作を行えるようにしている。
【００２７】
また、オプション基板７が接続されたいない場合には、各種の機能設定を行うメニュー画面において、オプション基板７の接続により実現される拡張機能の設定を行えないように制限する。
【００２８】
上記フリーズメモリ４２から読み出された信号は、オプション基板７が接続されている場合にはオプション基板７に設けたＩＨｂ色彩強調回路４８に入力されると共に、セレクタ４９の接点ａに印加される。
【００２９】
この場合、オプション基板７の装着時はＣＰＵ４４はセレクタ４９をオプション基板７側、つまり接点ｂ側がＯＮするように制御する。また、オプション基板７の未接続時には、フロントパネル５０、キーボード９の一部のキー入力を無効にし、または機能を示すＬＥＤをＯＦＦにし、またキーボード９にあるメニューキーを押すことにより、表示されるメニューの設定項目についても網掛けを行う等して、オプション基板７による機能の設定を不可とする制限を行い、ユーザは網掛け等によりその機能が有効でないことを簡単に分かるようにしている。
【００３０】
図１において、オプション基板７が装着された場合にはフリーズメモリ４２の出力信号は、セレクタ４９の接点ａからオプション基板７に設けたＩＨｂ色彩強調回路４８及び動画色ズレ補正回路５２を介してセレクタ４９の接点ｂを経由して色調調整回路５１に入力される。
【００３１】
これに対して、オプション基板７が未装着の場合にはフリーズメモリ４２で読み出された信号はセレクタ４９の接点ａから色調調整回路５１に入力され、この場合にはＩＨｂ色彩強調や動画色ズレ補正は行われない。
【００３２】
ＩＨｂ色調強調回路４８は、ヘモグロビン量に相関する値となるＩＨｂ（＝３２×Ｌｏｇ（Ｒ／Ｇ）を算出すると共に、その値を用いて色彩強調を行う。このＩＨｂ値の変化は血液量の変化に対応している。
【００３３】
また、動画色ズレ補正回路５２は、本実施の形態では面順次の照明光のもとで撮像を行う方式であるため、動きの激しい部位での撮像の際には、色ズレが現れる場合があり、本実施の形態ではその面順次式で発生した動画像の色ズレを補正する処理を行う。
【００３４】
色調調整回路５１により色調が調整された信号は、γ補正回路５３に入力され、γ補正される。γ補正された信号はＳＤＴＶ系の後段信号系により処理される。
γ補正回路５３によりγ補正された後、拡大縮小回路（１）５５ａに入力され、モニタ（１）５Ａ上に表示される内視鏡画像の大きさに応じた拡大率で電子拡大・縮小処理が行われる。
【００３５】
拡大縮小回路（１）５５ａで処理された信号は構造強調回路（１）５６ａにより構造強調、輪郭強調の強調処理が行われた後、同時化メモリ（１）５７ａに入力され、構造強調回路（１）５６ａから出力されるＲ、Ｇ、Ｂの各色成分の面順次デジタル映像信号が時系列的に書込まれ、同時にＲ、Ｇ、Ｂの各色成分を読み出すことにより同時化処理をして出力する。
【００３６】
同時化された信号は文字・マスク・画像合成部（１）５８ａで、文字・マスクの付加、またはメニューやテスト信号（カラーバー信号など）との切り替えが行われる。この文字・マスク・画像合成部（１）５８ａはＣＰＵ４４により制御されるグラフィック処理回路（１）５９ａにより文字・マスクの処理を行う。
【００３７】
文字・マスク・画像合成部（１）５８ａの出力信号は、Ｄ／Ａ変換回路（１）６０ａでＤ／Ａ変換されてアナログのＲ、Ｇ、Ｂ信号に変換され、内視鏡形状検出装置６の画像との合成処理、ファイリング装置５Ｅとの画像の切替等を行う合成処理部（１）６１ａに入力され、図示しないゲイン調整等が行われ、７５Ωドライブ回路（１）６２ａを通してＳＤＴＶ系のモニタ（１）５Ａ、プリンタ（１）５Ｂ、ＶＴＲ（１）５Ｃ、写真撮影装置５Ｄ、ファイリング装置５Ｅに送られる。
【００３８】
また、ＡＧＣ回路４１、γ補正回路５３、拡大縮小回路（１）５５ａ、構造強調回路（１）５６ａはパラメータ制御回路（１）６３ａにより制御されるパラメータメモリ（１）６４ａのパラメータの値によりその動作、設定がされる。
ホワイトバランス補正回路４０、ＡＧＣ回路４１、色調補正回路５１、γ補正回路５３、拡大縮小回路（１）５５ａ、構造強調回路（１）５６ａはＣＰＵ４４により制御される。
【００３９】
また、オプション基板７の接続時には、γ補正された信号は、オプション基板７に設けられたＨＤＴＶ系の信号処理が行われる。
つまり、γ補正された信号は、構造強調回路（２）５６ｂにより構造強調された後、拡大縮小回路（２）５５ｂでモニタ（２）８Ａ上に表示される内視鏡画像の大きさに応じた電子ズーム倍率で拡大・縮小処理が行われる。
【００４０】
ＳＤＴＶ系と処理の順番が異なるのは、ＨＤＴＶ系ではＳＤＴＶ系よりも拡大率が大きい場合が多いため、拡大の後で構造強調を行うとフィルタのサイズが大きくなってしまうからである。
【００４１】
電子ズーム倍率で拡大・縮小処理が行われた映像信号は同時化メモリ（２）５７ｂで同時化処理されて文字・マスク・画像合成部（２）５８ｂに入力され、文字・マスクの付加、またはメニューやテスト信号（カラーバー信号など）との切り替えが行われる。
この文字・マスク・画像合成部（２）５８ｂはＣＰＵ４４により制御されるグラフィック処理回路（２）５９ｂにより文字・マスクの処理を行う。
【００４２】
文字・マスク・画像合成部（２）５８ｂの出力信号は、Ｄ／Ａ変換回路（２）６０ｂでＤ／Ａ変換されてＨＤＴＶ用のアナログＲ、Ｇ、Ｂ信号に変換され、内視鏡形状検出装置６との画像の合成処理、ファイリング装置（２）８Ｅとの画像の切替を行う合成処理部（２）６１ｂに入力され、図示しないゲイン調整等も行われた後、７５Ωドライブ回路６２ｂを通してＨＤＴＶ系のモニタ（２）８Ａ、プリンタ（２）８Ｂ、ＶＴＲ（２）８Ｃに送られる。
【００４３】
また、構造強調回路（２）５６ｂ及び拡大縮小回路（２）５５ｂはパラメータ制御回路（２）６３ｂにより制御されるパラメータメモリ（２）６４ｂのパラメータの値によりその構造強調動作及び拡大縮小の電子ズーム倍率の設定がされる。
【００４４】
合成処理部（１）６１ａではファイリング装置５Ｅからの出力信号を、スコープ２側の信号から切替えてＳＤＴＶ用のモニタ（１）５Ａに出力することができ、合成処理部（２）６１ｂでも同様にファイリング装置５Ｅの出力信号を、スコープ２側の信号から切替えて（ＨＤＴＶ）モニタ（２）８Ａに出力できるようになっている。
【００４５】
本実施の形態における（ＨＤＴＶ）モニタ（２）８ＡはＳＤＴＶ系及びＨＤＴＶ系の各映像信号に対応したものであり、従って、通常はＨＤＴＶの映像信号でメインにして使用し、必要に応じてファイリング装置５Ｅの出力信号を確認するため等でファイリング装置５Ｅの出力信号を表示することもできるようにしている。
【００４６】
図２は拡大縮小回路（１）５５ａの周辺の構成を示す。
拡大縮小回路（１）５５ａはセレクタ７１、７２、７３と、フレームメモリ７４と、変換処理（より具体的には補間処理）を行う変換処理回路７５と、信号発生回路（ＳＳＧと略記）７６とから構成される。
セレクタ７１〜７３の接点ａ，ｂの切替、フレームメモリ７４の読み出し制御、変換処理回路７５の制御はＳＳＧ７６により行われる。
【００４７】
γ補正回路５１の出力信号はセレクタ７１の接点ａ、セレクタ７２の接点ｂに入力され、またセレクタ７１の接点ｂには変換処理回路７５の出力信号が入力される。このセレクタ７１の選択出力はフレームメモリ７４に格納され、このフレームメモリ７４から読み出された信号はセレクタ７３の接点ｂと、セレクタ７２の接点ａに入力される。また、セレクタ７２の選択出力は変換処理回路７５で補間或いは間引き処理され、その出力信号はセレクタ７３の接点ａにも出力される。
【００４８】
そして、拡大処理が行われる場合には、ＳＳＧ７６によりセレクタ７１〜７３の接点ａが選択され、縮小処理が行われる場合には接点ｂが選択される。図２に示すように拡大処理が選択された場合には、γ補正回路５１からの画像データはフレームメモリ７４に１画面分の画像データが一旦格納された後、そのデータを間欠的に読み出して変換処理回路７５で線形補間することにより拡大処理が行われ、その後セレクタ７３から構造強調回路（１）５６ａ側に出力される。
【００４９】
縮小処理時にはγ補正回路５１からの画像データは、先に変換処理回路７５でで線形補間した画像データにしてフレームメモリ７４に間欠的に（間引いて）書き込み、そのフレームメモリ７４から読み出された画像データがセレクタ７３から構造強調回路（１）５６ａ側に出力される。
【００５０】
ＣＰＵ４４からはマスクサイズ（画面サイズ）、電子ズーム倍率、ＣＣＤ種類、（ズームした時にマスクサイズも変更するように）連動のＯｎ／Ｏｆｆ信号はＬＵＴ７７に入力され、ＬＵＴ７７から読み出されたデータはパラメータメモリ制御回路（１）６３ａを介してパラメータメモリ（１）６４ａに送られる。
【００５１】
このパラメータメモリ（１）６４ａにはフレームメモリ７４の制御信号、拡大縮小処理する際の補間するための係数が入れられている。パラメータメモリ（１）６４ａから読み出されたパラメータデータは、ＳＳＧ７６に入力され、ＳＳＧ７６はフレームメモリ７４の制御、変換処理回路７５の制御、セレクタ７１〜７３の制御をする。
【００５２】
ＬＵＴ７７に書き込まれているパラメータメモリ（１）６４ａを読み出すアドレスデータの具体例を図３（Ａ）に示す。なお、図３（Ｂ）には、ＨＤＴＶ用の場合のパラメータメモリ（１）６４ｂを読み出すアドレスデータの具体例を示しており、図３（Ａ）のＳＤＴＶ用のパラメータデータと図３（Ｂ）のＨＤＴＶ用のパラメータデータとはそれぞれ異なる。なお、拡大・縮小回路（２）５５ｂもその構成及び動作はほぼ同様である。
【００５３】
また、本実施の形態では、内視鏡画像を表示するマスクサイズ（画面サイズ）として、例えば３つ用意しており、ユーザ側で選択使用できるようにしている。図３示すミディアム、セミフル、フルハイトのマスクサイズにしたモニタ画面は図４のようになる。例えばＳＤＴＶ用のモニタ（１）５Ａでのモニタ画面はこの図４（Ａ）〜（Ｃ）に示すミディアム、セミフル、フルハイトの順にマスクサイズが大きくなるものから選択でき、フルハイトではモニタ（１）５Ａの表示画面の高さ一杯で内視鏡画像を表示する８角形のマスクサイズになる。そして、ユーザ側で好みのものを選択できるようにしている。
【００５４】
この場合、マスクサイズが異なっていても、ＣＣＤ２７で撮像された領域は同等であり、ＣＣＤ２７の有効画素のほぼ全部を使用して選択されたマスクサイズで内視鏡画像を表示するようにしている。
【００５５】
また、本実施の形態においては、マスクサイズの選択に応じて、患者データ等の文字（キャラクタ）情報の表示モードを変更するようにしている。例えば、図４（Ａ）に示すようにミディアムのマスクサイズの場合には、その左側には患者データ等のキャラクタ情報を表示する領域は比較的広く形成できるが、図４（Ｂ）に示すようにセミフルのマスクサイズにすると、患者データ等を表示する領域は狭くなり、さらに図４（Ｃ）に示すようにフルハイトのマスクサイズにすると、その領域はさらに狭くなる。
【００５６】
従って、ＣＰＵ４４は選択されるマスクサイズに応じて、図４（Ａ）〜図４（Ｃ）に示すように患者データ等のキャラクタ情報を表示するモードを変更し、特にセミフルやフルハイトが選択された場合に、マスクサイズの内側に患者データ等のキャラクタ情報が表示されるのを抑制し、マスクサイズの内側に表示される内視鏡画像上にキャラクタ情報が表示される影響を抑制するようにしている。
【００５７】
その際にセミフル時には、キャラクタ情報が内視鏡画像にかからないように配置しても良い。
なお、図４の場合には、セミフルとフルハイトで同じ表示モードにしているが、フルハイトではさらに表示エリアをさらに圧縮して表示するようにしても良い。
【００５８】
なお、ＨＤＴＶの場合は、ＳＤＴＶの場合と若干異なるがほぼ同様である。
【００５９】
図３に戻り、この図３に示すようにＣＣＤ２７のｔｙｐｅ（この場合には４つのｔｙｐｅ）に応じて、電子ズームを可能にしたり、電子ズームを行えないように制限している。
例えばＣＣＤ２７のｔｙｐｅ１のものでは、ＳＤＴＶ用の場合には、ミディアムとフルハイトでのマスクサイズで、しかも電子ズーム倍率Ｚを１．０のみで表示するように制限している。
【００６０】
これは、画素数が他のものよりも少なく、電子ズーム倍率を上げると、画質の劣化が目立つようになるため、電子ズームによる拡大処理を制限している。また、このｔｙｐｅ１では選択できるマスクサイズを制限することにより、信号処理が複雑化するのを防止している。
【００６１】
一方、このＣＣＤ２７のｔｙｐｅ１のものでも、ＨＤＴＶ用の場合には、ミディアム、セミフル及びフルハイトの３つのマスクサイズを選択できるようにしており、この場合においても電子ズーム倍率Ｚはやはり１．０のみに制限する処理を行うようにしている。
【００６２】
また、例えばＣＣＤ２７のｔｙｐｅ１のものに比較して画素数が多いｔｙｐｅ３のものでは、ＳＤＴＶ用の場合には、電子ズーム倍率Ｚを１．０、１．４、１．６、１．８、２．２に選択設定することができるようにしている。なお、マスクサイズの連動に関しては図８を参照して後述する。
【００６３】
図５はマスクサイズと連動しない場合における例えばセミフルのマスクサイズでのモニタ画面の表示例を示す。具体的には図５（Ａ）〜（Ｃ）は電子ズーム倍率Ｚがそれぞれ１．０、１．６、２．２の場合を示す。
【００６４】
この場合には、図５（Ａ）の電子ズーム倍率Ｚが１．０の状態から、電子ズーム倍率Ｚを１．６、２．２にした場合には図５（Ｂ）、図５（Ｃ）のように図５（Ａ）の中央部分が拡大されてセミフルのマスクサイズのままで拡大して表示される。つまり、図５（Ａ）のマスクサイズの中央部分の縦横１／１．６部分が１．６倍に電子ズーム拡大処理されて図５（Ｂ）のように表示される。また、図５（Ｃ）の場合には図５（Ａ）のマスクサイズの縦横とも略半分となる中央部分が２．２倍に電子ズーム拡大処理されて表示される。
【００６５】
図３に示した多数の電子ズーム倍率Ｚから実際に選択使用する値の設定やマスクサイズの変更設定は図６に示すメニュー画面で設定することができる。
図６のメニュー画面により、複数の項目にわたり、設定ができる。
【００６６】
例えばスコープ２に設けたスコープスイッチ４５の複数のスイッチにそれぞれ割り当てる機能の選択設定や、構造強調の強調レベル、ＩＨｂ色彩強調の強調レベル、調光を行うための測光のモード、ＩＨｂに関するそのエリア等、拡大する場合の複数のモードに割り当てる電子ズーム倍率、その電子ズームした場合にマスクサイズの変更の連動（Ｏｎ）、連動しない（Ｏｆｆ）の選択、そしてマスクサイズの変更設定等ができる。
【００６７】
なお、図６の場合にはオプション基板７が接続された場合での設定例を示し、オプション基板７が未接続の場合には、このオプション基板７により実現される拡張処理機能、例えばＩＨｂの項目の設定は例えば網掛け表示等になり設定ができないようになり、ユーザはその表示からその機能が有効でないことを簡単に確認できるようにしている。
【００６８】
マスクサイズの変更ができるモードの組み合わせは変更しない場合の含めて以下の組み合わせである。
ミディアム←→ミディアム
ミディアム←→セミフル
セミフル←→ミディアム
ミディアム←→フルハイト
フルハイト←→ミディアム
セミフル←→セミフル
セミフル←→フルハイト
フルハイト←→セミフル
フルハイト←→フルハイト
の９種類で、左側が電源投入時の画面サイズである。
【００６９】
キーボード９の「画面サイズ」キーまたはスコープスイッチ４５を押すことによりマスクサイズを切り替えることができる。この設定はＳＤＴＶ、ＨＤＴＶ独立で行うことができる。
【００７０】
これにより例えば、ＨＤＴＶで観察、ＳＤＴＶで記録する場合に、観察しているＨＤＴＶ画面のサイズは切替えるが、記録するＳＤＴＶ画像のサイズは切替えないといったことが可能となる。
また、図６の拡大の項目では、電子ズームレベル０、レベル１、レベル２が設けてあり、レベル１、レベル２に拡大率を割り付けることができる（なお、レベル０は１．０倍に固定）。
【００７１】
この拡大率の選択設定はメニュー画面で行い、図３に示した１．４，１．６，１．８，２．２倍の中からレベル１、レベル２に割り当てる拡大率を選択する。図６では１．０，１．６，２．２倍に設定され、この場合で拡大の指示操作をすると図５に示したようになる。
【００７２】
この場合における電子ズームの拡大指示などは、図７に示すフロントパネル５０の拡大スイッチ５０ａ、またはスコープスイッチ４５を押すことにより行うことができる。
【００７３】
図７に示すフロントパネル５０の拡大スイッチ５０ａの上には３つのＬＥＤが設けてあり、例えば拡大スイッチ５０ａを操作してその拡大スイッチ５０ａ上の拡大率に対応するレベル０，１，２の１つを表すＬＥＤ５０ｂが点灯する。
また、図５（Ａ）〜（Ｃ）に示すようにモニタ画面上には拡大率が表示される。拡大倍率は１．０倍を基準としたときの倍率を表示する。
【００７４】
このようにモニタ画面上に電子ズーム倍率を表示することにより、拡大等をしたことが明確になる効果がある。電子ズームは拡大したいときに必要に応じて行うため、通常では使用しない。電子ズームにされていることを明確にし、戻し忘れを防止してズーム状態のまま観察を続けないようにすることができる。
【００７５】
次にマスクマイズ連動について説明する。
電子ズームをかけたときに、フルハイトモードでない時にはマスクサイズがフルハイトのサイズになるものである。その設定は図６に示すメニュー画面で行いサイズ変更をＯｎにする。
前述したように、マスクサイズは異なっても、ＣＣＤ２７で撮像された領域は同等である。
【００７６】
電子ズーム倍率Ｚが１．０の時は、ＣＣＤ２７の有効画素のほぼ全部を使用しているため、これ以上マスクサイズを大きくすることはできない。しかし、電子ズーム拡大時にはＣＣＤ２７上の一部を表示する状態になるので、マスクサイズを大きくして、ＣＣＤ２７における使用領域を拡大して表示できるようにできる。
【００７７】
図８はマスクサイズを連動して拡大を行った場合のモニタ画面の例を示す。例えばセミフルのサイズでの表示状態で電子ズーム倍率Ｚを１．６と２．２に変更した場合の表示例を示す。
【００７８】
図８（Ａ）に示すように電子ズーム倍率Ｚが１．０の状態から、電子ズーム倍率Ｚを１．６及び２．２にした場合にはそれぞれ図８（Ｂ）及び図８（Ｃ）のようにフルハイトのマスクサイズで拡大して表示される。
【００７９】
このようにマスクサイズを連動して大きくすることにより、表示しきれない部分を表示でき、観察しやすくなる。フルハイト時は連動にしてもフルハイトのままである。
【００８０】
つまり、マスクサイズを電子ズームによる拡大に連動させることにより電子ズーム時の観察画像領域を広くできるため、電子ズームしたときの観察範囲を（連動させない場合よりも）広くできる効果がある。
【００８１】
図３で説明したようにｔｙｐｅ１のＣＣＤの場合は、電子ズームの処理を制限したタイプである。また、セミフルのマスクサイズもない。
この時は電子ズームをしないことを示すために、フロントパネル５０の拡大スイッチ５０ａ部分のＬＥＤを点灯させない、また、モニタ画面にも拡大率を表示させないようにしている。この場合のモニタ画面を図９に示す。この図９に示すように電子ズーム倍率を示すＺが表示されないようにしている。
【００８２】
またｔｙｐｅ２のＣＣＤ２７の場合も電子ズームを行わないタイプである。　この時も電子ズームができないことを示すために、フロントパネル５０のＬＥＤを点灯させない、また、モニタ画面にも拡大率を表示させないようにしている。
このように本実施の形態ではビデオプロセッサ４に実際に接続されるスコープ２に対して、そのスコープ２に内蔵されたＣＣＤ２７の種類に応じて電子ズームによる拡大処理を制限すると共に、その操作を行う部分の表示を制限してその機能が有効であるか否かを明確にし、ユーザが誤って操作するのを防止できるようにし、操作性を向上できるようにしている。
【００８３】
図１０は構造強調回路（１）５６ａの構成を示す。
拡大縮小回路（１）５５ａからの信号は構造強調回路（１）５６ａを構成するラインメモリ８１を経てマトリックス回路で形成された空間フィルタ８２及び遅延を行う遅延回路８３に入力され、空間フィルタ８２ではパラメータメモリ（１）６４ａからのパラメータデータ（具体的にはマトリックス処理するフィルタ係数）により、空間フィルタ処理（エッジ成分の抽出処理）する。
【００８４】
空間フィルタ８２の出力信号はコアリング処理回路８４で微小信号の低減がなされて加算回路８５に入力され、遅延回路８３により遅延された信号と加算された信号となり、さらにオーバフロー処理回路８６でオーバフローした信号に対する処理が施されて構造強調された信号となり、次段の同時化メモリ（１）５７ａ側に出力される。
【００８５】
また、ＣＰＵ４４から構造強調用に設けたＬＵＴ８７には、構造強調の種類（タイプ）、構造強調レベルのデータが入力され、ＬＵＴ８７から対応するパラメータデータのアドレスデータが読み出されてパラメータメモリ制御回路（１）６３ａに送られ、パラメータメモリ制御回路（１）６３ａはそのアドレスデータによりパラメータメモリ（１）６４ａから対応するパラメータデータ（フィルタ係数）を読み出して空間フィルタ８２に出力させる。
このようにして、メニュー画面で設定した種類やレベルに対応した構造強調を行えるようにしている。
【００８６】
また、本実施の形態では、モニタ画面には図１１に示すように内視鏡画像と共に、内視鏡形状検出装置６による内視鏡形状検出画像を重畳して表示できるようにしている。つまり、内視鏡形状検出装置６により検出されたスコープ２の挿入部１１のモデル化した内視鏡形状検出画像の映像信号が内視鏡形状検出装置６から図１の合成処理回路（１）６１ａ或いは合成処理回路（２）６１ｂに入力され、その内部の重畳回路によりＤ／Ａ変換回路（１）６０ａ側或いはＤ／Ａ変換回路（２）６０ｂ側からの内視鏡画像の映像信号と重畳されて図１１に示すようにＰｉｎＰで表示される。
【００８７】
また、本実施の形態ではＳＤＴＶ用とＨＤＴＶ用の輪郭強調のフィルタ特性はそれぞれ最適なものとしているため、特性は異なる。
また、本実施の形態では、ＨＤＴＶのアスペクト比を４：３と１６：９のいずれかから選択して出力することができるようにしている。
【００８８】
さらにＩＨｂ色彩強調と構造強調との強調レベル等はフロントパネル５０のスイッチで切り替えることができる。フロントパネル５０の１、２、３に割り付けるレベルは図６のメニュー画面で選択することができる。
また、この２つのスイッチを連動して１つのスイッチに割り付けることができるようにしている。
【００８９】
具体的には色彩強調のスイッチが使用でき、このスイッチを押すと、そのモードに割り付けた構造強調、色彩強調のレベルが同時に切り替わる。このとき、構造強調のスイッチのＬＥＤは消灯するようにしている。
【００９０】
次に本実施の形態を動作状態に設定した場合の初期設定の処理を図１２を参照して説明する。
【００９１】
ステップＳ１に示すようにスコープ２がビデオプロセッサ４等に接続された後、ステップＳ２に示すようにビデオプロセッサ４の電源がＯＮされると、ステップＳ３に示すようにビデオプロセッサ４のＣＰＵ４４は初期設定の読み込み処理を行う。
【００９２】
そして、ステップＳ４に示すように、ビデオプロセッサ４に実際に接続されたスコープ２に内蔵されたＣＣＤ２７がズーム可能なＣＣＤ２７か否かの判断を行う。この判断はスコープＩＤ回路４６からの識別情報から判断する。
【００９３】
そして、ズーム可能なＣＣＤと判断した場合にはステップＳ５に示すようにモニタ（１）５Ａに電子ズームの拡大率を表示し、またステップＳ６に示すようにフロントパネル５０の対応するＬＥＤを点灯してステップＳ７に進む。
【００９４】
一方、ズーム可能なＣＣＤでないと判断した場合にはステップＳ８に示すようにモニタ（１）５Ａに電子ズームの拡大率を表示しない状態にし、またステップＳ９に示すようにフロントパネル５０の対応するＬＥＤを消灯してステップＳ７に移る。
【００９５】
ステップＳ７では、ＣＰＵ４４はマスク情報をグラフィック処理回路（１）５９ａに送り、文字・マスク・画像合成回路（１）５８ａでマスク合成を行う。
また、次のステップＳ１０でＣＰＵ４４は画面サイズ、電子ズーム倍率、ＣＣＤ種類、連動Ｏｎ／Ｏｆｆを拡大縮小回路（１）５５ａのＬＵＴ７７に送る。
【００９６】
この拡大縮小回路（１）５５ａではＬＵＴ７７からの出力によりパラメータメモリ（１）６４ａを制御して、パラメータデータを読み出し、拡大縮小処理を行う。そして、この初期設定の処理を終了する。
【００９７】
次に図１３を参照して、マスクサイズ（画面サイズ）スイッチや拡大スイッチが押された場合の動作を説明する。
図１２のように初期設定がされた後に、図１３のステップＳ２１に示すようにＣＰＵ４４はマスクサイズスイッチ、拡大スイッチ５０ａが押されたかの判断を行う。そして、押されていないと、押されるのを待つ。そして、押されると、ステップＳ２２に示すようにマスクサイズスイッチが押されたかの判断を行い、マスクサイズスイッチが押された場合にはステップＳ２３に示すように、ＣＰＵ４４はマスク（サイズ）を広げる指示か否かの判断を行う。
【００９８】
マスクサイズを広げる指示の場合には、ステップＳ２４に示すようにＣＰＵ４４はマスクサイズ、電子ズーム倍率、ＣＣＤ種類、連動Ｏｎ／Ｏｆｆの情報を拡大縮小回路（１）５５ａに送る。
【００９９】
そして、次のステップＳ２５で拡大縮小回路（１）５５ａでは、パラメータメモリ（１）６４ａを制御してデータを読み出し、拡大縮小処理（より具体的には拡大処理）を行うようにする。そして、ステップＳ２６に示すように３垂直期間（図１３では３Ｖと略記）、処理を待つ。
【０１００】
その後、ステップＳ２７に示すようにＣＰＵ４４は変更するマスク情報をグラフィック処理回路（１）５９ａに送り、マスク合成を行う。その後、ステップＳ２１に戻る。
【０１０１】
本実施の形態では、面順次方式の照明及び撮像を採用している関係上、電子ズームで拡大や縮小の処理を行う場合、１枚の同時化されたカラー画像を得るのに３垂直期間を要する。これに対して、拡大や縮小の処理自体は１垂直期間で行うことができるし、マスクサイズの変更は１垂直期間よりもはるかに短い時間で行うことができる。
【０１０２】
従って、拡大縮小処理やマスクサイズの変更処理を同時に行うと、マスクサイズの変更がされても拡大縮小処理のためのカラー画像が得られるまでの画像が、瞬間的ではあるがマスクサイズの変更に伴って表示されてしまう場合があり、上記のように３垂直期間、処理を待って行うことにより不要な画面表示となることを防止するようにしている。
【０１０３】
つまり、ステップＳ２７によりマスク情報をグラフィック処理回路（１）５９ａに送り、マスクサイズを拡大した場合には、その３垂直期間前に拡大処理が開始しているので、１枚のカラー画像に対する拡大処理も完了しており、マスクサイズの拡大された領域に拡大されたカラー画像がごみが瞬間的に表示されることなく表示されるようにできる。以下の処理における３垂直期間、待つ動作は同様の理由による。
【０１０４】
一方、ステップＳ２３でマスクサイズを広げる指示でない場合、つまりマスクサイズを狭くする指示の場合には、ステップＳ２８に示すように変更するマスク情報をグラフィック処理回路（１）５９ａに送り、マスク合成を行う。その後、ステップＳ２９に示すように３垂直期間（図１３では３Ｖと略記）、処理を待ち、１枚の同時化されたカラー画像が得られるようにする。
【０１０５】
その後、ステップＳ３０で、ＣＰＵ４４は画面サイズ、電子ズーム倍率、ＣＣＤ種類、連動Ｏｎ／Ｏｆｆの情報を拡大縮小回路（１）５５ａに送る。
そして、次のステップＳ３１で拡大縮小回路（１）５５ａでは、パラメータメモリ（１）６４ａを制御してデータを読み出し、拡大縮小処理（より具体的には縮小処理）を行う。その後、ステップＳ２１に戻る。
【０１０６】
また、ステップＳ２２でマスクサイズスイッチが押されていない場合、つまり拡大スイッチが押された場合にはステップＳ３２に移り、ズーム可能なＣＣＤか否かの判断が行われる。
【０１０７】
ズーム可能なＣＣＤでない場合にはステップＳ２１に戻り、ズーム可能なＣＣＤである場合にはステップＳ３３に進み、連動Ｏｎかの判断が行われる。連動がＯｎの場合には次のステップＳ３４でマスクサイズを広げる処理が伴うかの判断が行われる。
【０１０８】
マスクサイズを広げる処理が伴う場合には、ステップＳ３５でＣＰＵ４４は画面サイズ、電子ズーム倍率、ＣＣＤ種類、連動Ｏｎ／Ｏｆｆの情報を拡大縮小回路（１）５５ａに送る。
そして、次のステップＳ３６で拡大縮小回路（１）５５ａでは、パラメータメモリ（１）６４ａを制御してデータを読み出し、拡大縮小処理（より具体的には拡大処理）を行う。その後、ステップＳ３７に示すように３垂直期間（図１３では３Ｖと略記）、処理を待つ。
【０１０９】
その後、ステップＳ３８で、ＣＰＵ４４は変更するマスク情報をグラフィック処理回路（１）５９ａに送り、マスク合成を行う。その後、ステップＳ３９で、モニタ（１）５Ａの倍率表示を変更する。
また、次のステップＳ４０でフロントパネル５０の対応するＬＥＤの点灯を変更した後、ステップＳ２１に戻る。
【０１１０】
また、ステップＳ３４において、マスクサイズを広げる処理でなく、狭くする処理である場合、ステップＳ４１で、ＣＰＵ４４は変更するマスク情報をグラフィック処理回路（１）５９ａに送り、マスク合成を行う。その後、ステップＳ４２で、３垂直期間（図１３では３Ｖと略記）、処理を待つ。
【０１１１】
その後、ステップＳ４３で、ＣＰＵ４４は画面サイズ、電子ズーム倍率、ＣＣＤ種類、連動Ｏｎ／Ｏｆｆの情報を拡大縮小回路（１）５５ａに送る。
そして、次のステップＳ４４で拡大縮小回路（１）５５ａでは、パラメータメモリ（１）６４ａを制御してデータを読み出し、拡大縮小処理を行う。その後、ステップＳ３９に移る。
【０１１２】
また、ステップＳ３３において、連動Ｏｎでない、つまり連動Ｏｆｆの場合には、マスクサイズの変更処理を行うことなく、ステップＳ４３に移る。
【０１１３】
このように本実施の形態によれば、信号処理装置としてのビデオプロセッサ４に実際に接続されるスコープ２やオプション基板７を検知して、検知結果に応じて、ＣＰＵ４４はビデオプロセッサ４による信号処理の処理を制限する制御をしたり、機能表示の処理を制限するようにして、ユーザに使い易いように操作性を向上したり、使い易い環境を提供している。
【０１１４】
例えば、画素数が少ないＣＣＤ２７を内蔵したスコープ２が接続された場合には、電子ズームの機能を制限して電子ズームによる拡大処理を行えないないように処理を制限すると共に、その操作機能が有効でないような表示をしてユーザにはその操作機能が有効でないことを分かり易いようにしている。
【０１１５】
そして、ユーザはその機能を誤って操作するようなことを防止できると共に、そのようにしていいない従来例において、電子ズームで拡大する操作を行った場合、画質の劣化が目立ってしまい、そのために今度は拡大した操作を解除するような操作を行う手間を未然に防止できる。
【０１１６】
（第２の実施の形態）
次に本発明の第２の実施の形態を図１４及び図１５を参照して説明する。図１４は第２の実施の形態におけるオプション基板側での拡張処理の構成を示す。
第１の実施の形態では構造強調回路（２）５６ｂ、拡大縮小回路（２）５５ｂで処理された信号は同時化メモリ（２）５７ｂに入力されていたが本実施の形態では、拡大縮小回路（２）５５ｂで処理された信号はさらに高域補正を行う高域補正回路９１を経て同時化メモリ（２）５７ｂに入力されるようにオプション基板７には、高域補正回路９１を設けている。
【０１１７】
また、ＣＰＵ４４は構造強調回路（２）用ＬＵＴ９２には構造強調種類、構造強調レベルの情報を入力し、構造強調回路（２）５６ｂで構造強調を行うパラメータのアドレスデータを読み出し、パラメータメモリ制御回路（２）６３ｂを介してパラメータメモリ（２）６４ｂから構造強調を行うデータを読み出して構造強調回路（２）５６ｂに送り、構造強調を行う。
【０１１８】
また、ＣＰＵ４４は拡大縮小回路（２）用ＬＵＴ９３にはマスクサイズ、電子ズーム倍率、ＣＣＤ種類、連動のＯｎ／Ｏｆｆの情報を入力し、拡大縮小回路（２）５５ｂで拡大縮小を行うパラメータのアドレスデータを読み出し、パラメータメモリ制御回路（２）６３ｂを介してパラメータメモリ（２）６４ｂから拡大縮小を行うデータを読み出して拡大縮小回路（２）５５ｂに送り、拡大縮小を行う。
【０１１９】
また、ＣＰＵ４４は高域補正回路用ＬＵＴ９４には、電子ズーム倍率、構造強調レベル、ＣＣＤ種類の情報を入力し、高域補正回路９１で高域補正を行うパラメータのアドレスデータを読み出し、パラメータメモリ制御回路（２）６３ｂを介してパラメータメモリ（２）６４ｂから高域補正を行うデータを読み出して高域補正回路９１に送り、高域補正を行う。
このような構成にすることにより、拡大縮小回路（２）５５ｂから出力される信号の高域成分が低下してしまうのを補正できるようにしている。
【０１２０】
また、本実施の形態では、図１５（Ａ）に示すように構造強調の処理を行う場合には、構造強調の処理を行う前の画像９６に対して、その周辺部分にダミー画素９７を付加する処理を行った後、構造強調を行うようにしている。
【０１２１】
この場合、構造強調を行う画像データをメモリから読み出しをする場合に、画像９６を構成する図１５（Ｂ）に示す画素Ａ１〜ＡＮにおいて、境界画素（ここではＡ１及びＡＮ）を繰り返し読み出して、この図１５（Ｂ）に示すようにダミー画素９７を付加して構造強調回路（１）５６ａや構造強調回路（２）５６ｂに入力して構造強調を行うようにしている。
【０１２２】
第１の実施の形態等では、構造強調回路（１）５６ａ、或いは構造強調回路（２）５６ｂを構成する空間フィルタによりエッジ成分を強調した画像を得ているが、画像とブランキング部分との境界が不自然に強調されてしまう。
【０１２３】
そのため、本実施の形態では上述のようにダミー画像９７を付加して、構造強調を行うようにしている。
【０１２４】
こうすることによって、ダミー画素９７の境界部分に不自然な強調する部分が入るため、マスクサイズの内側に表示される実際の画像には影響しなくなり、自然に強調した画像を表示できる。
【０１２５】
なお、第１の実施の形態で説明したように、合成処理部（２）６１ｂはＨＤＴＶモニタ（２）８Ａが、ＳＤＴＶ、ＨＤＴＶ共用の場合、ビデオプロセッサ４によりモニタのモードを切り替えて、ファイリング装置（１）５ＥのデジタルファイルのＳＤＴＶ信号を表示できるようにしているが、ファイリング装置（１）５Ｅのデジタルファイルに限らず、他のＶＴＲやプリンタなどの映像出力があるものでは同じように使用できるようにしても良い。
【０１２６】
本実施の形態の効果は第１の実施の形態とほぼ同様の効果を有すると共に、表示手段に表示される画像を強調した場合に画像の境界部分が不自然に強調されるのを防止できる等の効果がある。
【０１２７】
［付記］
２．請求項１において、前記検知手段は、前記信号処理装置に接続される電子内視鏡の固体撮像素子の種類を検知するものである。
３．前記信号処理装置は、基本機能の処理を行うメイン基板と、前記基本処理された画像信号に対して、拡張処理を行い、前記メイン基板から着脱可能な拡張処理基板とを備え、前記検知手段は前記拡張処理基板の有無を検知する。
４．請求項１において、前記処理を制限する制限手段は、前記信号処理装置による設定画面の選択項目を制限するものである。
【０１２８】
５．請求項１において、前記処理を制限する制限手段は、前記信号処理装置のフロントパネルのスイッチの動作、又はフロントパネルのＬＥＤの点灯を制限する。
６．請求項１において、前記処理を制限する制限手段は、前記信号処理装置のキーボードのスイッチの動作、又はフロントパネルのＬＥＤの点灯を制限する。
７．請求項１において、前記信号処理装置の処理は、電子ズーム処理である。
【０１２９】
８．請求項１において、さらに前記制御手段は前記制限する処理に対応する機能の表示を制限する。
９．付記８において、前記制限する処理は、電子ズーム拡大であり、対応する電子ズーム倍率の表示を制限して電子ズーム倍率の表示を行わない。
【０１３０】
【発明の効果】
以上説明したように本発明によれば、固体撮像素子を備えた電子内視鏡と、前記固体撮像素子から読み出した信号を所定の映像信号に変換する信号処理装置とを有する電子内視鏡装置において、
前記信号処理装置への接続状況を検知する検知手段を備え、前記検知手段の検知結果から信号処理装置の処理を制限する制限手段を設けているので、例えば接続された電子内視鏡における固体撮像素子の種類を検知することにより、検知した固体撮像素子に応じて不必要な処理を行わないように処理を制限することによりユーザが不必要な操作を行うことを解消でき、操作性を向上できる。
【図面の簡単な説明】
【図１】本発明の第１の実施の形態の電子内視鏡装置の全体構成を示すブロック図。
【図２】拡大縮小回路の構成を示すブロック図。
【図３】ルックアップテーブルに格納されているアドレスデータの具体例を示す図。
【図４】内視鏡画像を表示するマスクサイズ（画面サイズ）の具体例を示す図。
【図５】マスクサイズと連動しない状態で拡大指示した場合におけるセミフルのマスクサイズでの内視鏡画像の表示例を示す図。
【図６】各種の設定を行うメニュー画面の表示例を示す図。
【図７】フロントパネルの構成例を示す図。
【図８】マスクサイズと連動させた状態で拡大指示した場合における内視鏡画像の表示例を示す図。
【図９】電子ズームを行わないＣＣＤの場合におけるモニタ画面の表示例を示す図。
【図１０】構造強調回路の構成を示すブロック図。
【図１１】内視鏡画像と共に、内視鏡形状検出装置の画像とを重畳して表示する表示例を示す図。
【図１２】初期設定の処理動作を示すフローチャート図。
【図１３】マスクサイズの変更指示や拡大指示等がされた場合における本実施の形態の主要な処理動作を示すフローチャート図。
【図１４】本発明の第２の実施の形態における拡張処理系周辺の構成を示すブロック図。
【図１５】画像の境界部分にダミー画素を付加して構造強調を行う場合の説明図。
【符号の説明】
１…電子内視鏡装置
２…電子内視鏡
３…光源装置
４…ビデオプロセッサ
５Ａ…モニタ（１）
５Ｂ…プリンタ（１）
５Ｅ…ファイリング装置
６…内視鏡形状検出装置
７…オプション基板
８Ａ…モニタ（２）
８Ｂ…プリンタ（２）
９…キーボード
１５…ランプ
２７…ＣＣＤ
４０…ホワイトバランス補正回路
４２…フリーズメモリ
４４…ＣＰＵ
４６…スコープＩＤ回路
４７…オプション基板検知回路
４８…ＩＨｂ色彩強調回路
４９…セレクタ
５０…フロントパネル
５３…γ補正回路
５５ａ…拡大縮小回路（１）
５５ｂ…拡大縮小回路（２）
５６ａ…構造強調回路（１）
５６ｂ…構造強調回路（２）
６１ａ…合成処理部（１）
６１ｂ…合成処理部（２）
【図１】
2004000335.tif 000003
【図２】
2004000335.tif 000004
【図３】
2004000335.tif 000005
【図４】
2004000335.tif 000006
【図５】
2004000335.tif 000007
【図６】
2004000335.tif 000008
【図７】
2004000335.tif 000009
【図８】
2004000335.tif 000010
【図９】
2004000335.tif 000011
【図１０】
2004000335.tif 000012
【図１１】
2004000335.tif 000013
【図１２】
2004000335.tif 000014
【図１３】
2004000335.tif 000015
【図１４】
2004000335.tif 000016
【図１５】
2004000335.tif 000017